(57)【要約】【課題】三角柱状の食品を包装することができる包装容器を提供する。【解決手段】包装容器は食品を包装する。包装容器は、１つの側面が開放された中空の三角柱状の箱体２を備える。箱体２の開放面は蓋体３の覆板によって覆われる。蓋体３の覆板の一辺部は、箱体２の側板に連結されている。覆板の一辺部を軸として、蓋体３を回転させることが可能である。箱体２の第１三角板２１の一辺部に第１切欠き２１ａが設けられている。箱体２の第２三角板の一辺部に第２切欠きが設けられている。【選択図】図５
0003233104.tif 000002
【実用新案登録請求の範囲】
【請求項１】
食品を包装する包装容器であって、
１つの側面が開放された中空の三角柱状の箱体と、
前記箱体の開放面を塞ぐ蓋体と
を備え、
前記蓋体は、前記開放面を覆う四角形状の覆板を有し、
前記覆板の一辺部は、前記箱体が有する２つの側板中の一方の一辺部に連結されており、
前記蓋体は、前記箱体に連結している前記覆板の連結辺部を軸として回転可能であり、
前記箱体が有する２つの三角板それぞれについて、前記開放面側の一辺部に切欠きが設けられている
包装容器。
【請求項２】
前記蓋体は、前記覆板にて、前記連結辺部に対向する対向辺部から突出する台形状の突出板を有し、
前記突出板にて、先端側の一辺は前記覆板側の一辺よりも短く、
前記箱体が有する前記２つの側板の中で前記蓋体とは非連結である非連結側板には、前記突出板が挿入されるＴ字状の切り込みが設けられており、
前記Ｔ字状の切り込みは、
前記箱体の軸方向に沿った第１切り込みと、
前記第１切り込みの中途から前記開放面側に延びる第２切り込みと
を有し、
前記第１切り込みの両側は前記開放面側に屈曲している
請求項１に記載の包装容器。
【請求項３】
前記箱体は、前記２つの側板の中で前記蓋体の前記覆板と連結している連結側板にて、前記蓋体に連結している一辺部に対向する一辺部から突出している台形状の第２の突出板を有し、
前記第２の突出板の主面は、前記２つの側板の中で前記蓋体と非連結である非連結側板の内面に接着しており、
前記第２の突出板に関して、先端側の一辺は、前記連結側板側の一辺よりも短く、
前記非連結側板は、前記２つの三角板に含まれる第１三角板と非連結であり、前記２つの三角板に含まれる第２三角板に連結しており、
前記連結側板の一辺から延びる前記第２三角板側の前記第２の突出板の一辺は屈曲している
請求項１又は請求項２に記載の包装容器。
【請求項４】
前記２つの三角板それぞれには、内側に凹む又は外側に突出するエンボスが設けられている
請求項１から請求項３のいずれか１項に記載の包装容器。
【請求項５】
前記箱体が有する前記２つの側板の中で前記蓋体の前記覆板と連結している連結側板に関して、前記２つの側板の中で前記蓋体と非連結である非連結側板側の一辺は、前記開放面側の一辺よりも短く、
前記非連結側板に関して、前記連結側板側の一辺は、前記開放面側の一辺よりも短い
請求項１から請求項４のいずれか１項に記載の包装容器。
【考案の詳細な説明】
【技術分野】
【０００１】
本開示は包装容器に関する。
【背景技術】
【０００２】
特許文献１には、ガム又はチョコレート等の板状の食品を包装する包装容器が開示されている。
【先行技術文献】
【特許文献】
【０００３】
【特許文献１】特開２０１１−７９５５７号公報
【考案の概要】
【考案が解決しようとする課題】
【０００４】
特許文献１では、おにぎり又はサンドイッチ等の三角柱状の食品を包装する包装容器について考慮されていない。
【０００５】
本開示は斯かる事情に鑑みてなされたものであり、その目的とするところは、三角柱状の食品を包装することができる包装容器を提供することにある。
【課題を解決するための手段】
【０００６】
本開示の一態様に係る包装容器は、食品を包装する包装容器であって、１つの側面が開放された中空の三角柱状の箱体と、前記箱体の開放面を塞ぐ蓋体とを備え、前記蓋体は、前記開放面を覆う四角形状の覆板を有し、前記覆板の一辺部は、前記箱体が有する２つの側板中の一方の一辺部に連結されており、前記蓋体は、前記箱体に連結している前記覆板の連結辺部を軸として回転可能であり、前記箱体が有する２つの三角板それぞれについて、前記開放面側の一辺部に切欠きが設けられている。
【考案の効果】
【０００７】
上記の態様によれば、三角柱状の食品を包装することができる。
【図面の簡単な説明】
【０００８】
【図１】実施の形態１における包装容器の平面図である。
【図２】包装容器の側面図である。
【図３】図２のＡ―Ａ線における包装容器の断面図である。
【図４】蓋体が閉鎖されている場合における包装容器の側面図である。
【図５】蓋体の開放及び閉鎖を行う方法の説明図である。
【図６】蓋体が開放されている場合における包装容器の側面図である。
【図７】包装容器の展開図である。
【図８】複数の包装容器の重ね合わせの説明図である。
【図９】実施の形態２における包装容器の平面図である。
【考案を実施するための形態】
【０００９】
以下、本開示をその実施の形態を示す図面に基づいて詳述する。
（実施の形態１）
図１は実施の形態１における包装容器１の平面図である。図２は包装容器１の側面図である。図１及び図２に示すように、包装容器１は、中空の三角柱状をなす。包装容器１は、おにぎり又はサンドイッチ等の三角柱状の食品を包装するために用いられる。
【００１０】
包装容器１は箱体２を備える。箱体２は、１つの側面が開放された中空の三角柱状をなす。箱体２では、三角形状をなす第１三角板２１及び第２三角板２２それぞれが上側及び下側に配置されている。第１三角板２１の主面は、第２三角板２２の主面と間隔を隔てて対向している。板に関して、主面は、面積が大きい面であり、端面とは異なる。包装容器１の上下方向は、図２の上下方向に対応する。
【００１１】
図２に示すように、箱体２では、第１三角板２１及び第２三角板２２間に、四角形状をなす右側板２３及び左側板２４が上下方向に沿って配置されている。右側板２３は、包装容器１の右側に配置されている。左側板２４は、包装容器１の左側に配置されている。包装容器１の左右方向は図１及び図２の左右方向に対応する。右側板２３及び左側板２４それぞれは、箱体２の側壁として機能する。
【００１２】
箱体２の後側では、第１三角板２１、第２三角板２２、右側板２３及び左側板２４によって、四角形状の開放面２５が形成されている。箱体２の前後方向は、図１の上下方向に対応する。開放面２５が有する四辺それぞれは、第１三角板２１、第２三角板２２、右側板２３及び左側板２４の一辺である。第１三角板２１に関して、開放面２５側（後側）の一辺部の中央部に、四角形状の第１切欠き２１ａが設けられている。第１切欠き２１ａは、開放面２５側の第１三角板２１の一辺に沿って延びている。
【００１３】
同様に、第２三角板２２に関して、開放面２５側（後側）の一辺部の中央部に四角形状の第２切欠き２２ａが設けられている。第２切欠き２２ａは、開放面２５側の第２三角板２２の一辺に沿って延びている。第１切欠き２１ａは第２切欠き２２ａと対向している。包装容器１では、箱体２の開放面２５は、蓋体３によって塞がれる。
【００１４】
なお、第１切欠き２１ａの位置は、第１三角板２１における開放面２５側の一辺部の中央部に限定されない。第１切欠き２１ａの位置は、第１三角板２１の一辺部の左側又は右側に配置されてもよい。第２切欠き２２ａの位置は、第２三角板２２の開放面２５側の一辺部において、第１切欠き２１ａに対向する位置に設けられている。以下では、第１切欠き２１ａが第１三角板２１における開放面２５側の一辺部の中央部に位置する例を示す。
【００１５】
図３は、図２のＡ−Ａ線における包装容器１の断面図である。図２及び図３に示すように、蓋体３は、開放面２５を覆う四角形状の覆板３１を有する。覆板３１の二辺は上下方向に沿っている。覆板３１の残りの二辺は左右方向に沿っている。覆板３１の右辺部は、箱体２の右側板２３における後辺部に連結されている。覆板３１の右辺部は連結辺部として機能する。右側板２３は、覆板３１と連結している連結側板として機能する。右側板２３に関して、後辺部は蓋体３に連結している一辺部である。
【００１６】
蓋体３では、覆板３１の左辺部から前側に左突出板３２が突出している。覆板３１に関して、左辺部は、右辺部に対向する対向辺部として機能する。図３に示すように、箱体２の左側板２４には、箱体２の軸方向（上下方向）に沿った第１切り込み２４ａが設けられている。第１切り込み２４ａは、左側板２４の後側に位置しており、包装容器１の内外方向に貫通している。
【００１７】
図４は、蓋体３が閉鎖されている場合における包装容器１の側面図である。図３及び図４に示すように、蓋体３が閉鎖されている場合、蓋体３の左突出板３２は、箱体２の左側板２４の左側から第１切り込み２４ａに挿入されている。
【００１８】
図５は、蓋体３の開放及び閉鎖を行う方法の説明図である。図５には箱体２及び蓋体３の平面が示されている。図５に示すように、蓋体３は、覆板３１の右辺部を軸として回転可能である。蓋体３の左突出板３２を左側板２４の第１切り込み２４ａから抜き取り、覆板３１を反時計回りに回転させることによって、蓋体３を開けることができる。左側板２４は、覆板３１とは非連結である非連結側板として機能する。
【００１９】
図６は、蓋体３が開放されている場合における包装容器１の側面図である。前述したように、箱体２の左側板２４には、上下方向に沿った第１切り込み２４ａが設けられている。図４及び図６に示すように、第１切り込み２４ａの上側及び下側それぞれは後側に屈曲している。左側板２４の後側は開放面２５側である。左側板２４の後側は図４及び図６の右側に対応する。第１切り込み２４ａの上側及び下側は第１切り込み２４ａの両側に対応する。
【００２０】
図６に示すように、左側板２４では、第２切り込み２４ｂが、第１切り込み２４ａの中途から後側に延びている。第１切り込み２４ａ及び第２切り込み２４ｂを有する切り込みはＴ字状をなしている。
【００２１】
蓋体３が開放されている状態で、三角柱状の食品を、開放面２５から箱体２内に入れることができる。食品が箱体２内に収容されている状態で、覆板３１を時計回りに回転させる。その後、蓋体３の左突出板３２を、箱体２の第１切り込み２４ａに挿入する。これにより、蓋体３が閉じられ、食品が包装される。前述したように、第１切り込み２４ａの上側及び下側それぞれが後側に屈曲しているので、蓋体３の左突出板３２を第１切り込み２４ａに容易に挿入することができる。
【００２２】
図５に示すように、蓋体３では、覆板３１の上辺部から前側に突出する台形状の上突出板３３が設けられている。上突出板３３において、前辺は後辺と平行に配置されている。前辺は後辺よりも短い。図３に示すように、蓋体３では、覆板３１の下辺部から前側に突出する下突出板３４が設けられている。下突出板３４において、前辺は後辺と平行に配置されている。下突出板３４に関しても、前辺は後辺よりも短い。
【００２３】
なお、上突出板３３及び下突出板３４に関して、「平行」は実質的に実現されていれば、問題はない。従って、前辺及び後辺がなす角度が設計上の誤差の範囲内に収まっている場合、前辺及び後辺は平行である。
【００２４】
蓋体３を閉じた場合、上突出板３３及び下突出板３４は箱体２内に挿入される。食品は、上突出板３３及び下突出板３４の間に位置する。これにより、食品が包装容器１によって包装されている状態で食品の一部分が包装容器１の外側に出る可能性は低い。
【００２５】
包装容器１では、箱体２の形状が三角柱状であるため、おにぎり又はサンドイッチ等の三角柱状の食品を包装することができる。また、第１三角板２１及び第２三角板２２それぞれに第１切欠き２１ａ及び第２切欠き２２ａが設けられているので、包装容器１の利用者は、閉じられている蓋体３をつかみ易い。その後、利用者は、蓋体３を反時計回りに回転させることによって、蓋体３を容易に開放することができる。更に、第１切欠き２１ａ及び第２切欠き２２ａが設けられているため、蓋体３を開放した後、利用者は、箱体２内に収容されている食品をつかみ易い。その後、利用者は、箱体２から食品を取り出すことができる。
【００２６】
図３に示すように、箱体２では、右側板２３の前辺部から左後側に突出する第１接着板２６が突出している。第１接着板２６は左側板２４の右側に位置している。第１接着板２６の左側の主面は、左側板２４の右側の主面と図示しない接着剤によって接着している。左側板２４の右側の主面は箱体２の内面である。接着剤は例えば糊である。右側板２３に関して、前辺部は、後辺部に対向する一辺部である。第１接着板２６は第２の突出板として機能する。
【００２７】
図７は包装容器１の展開図である。包装容器１は紙製である。図７は、包装容器１が製造される前の紙を示している。図７において紙の外郭以外の実線は折線を示す。複数の折線それぞれに沿って、紙を折り曲げることによって包装容器１が製造される。図７に示すように、第１三角板２１の右辺部は右側板２３の上辺部と連結している。右側板２３の下辺部は、第２三角板２２の右辺部と連結している。第２三角板２２の左辺部は、左側板２４の下辺部と連結している。
【００２８】
前述したように、右側板２３の前辺部には第１接着板２６が連結している。図７に示すように、第１接着板２６は台形状をなす。第１接着板２６に関して、先端側の一辺は、右側板２３側の一辺よりも短い。先端側の一辺は右側板２３側の一辺と平行に配置されている。図７に示すように、第１接着板２６に関して、右側板２３の前辺から延びる第２三角板２２側の一辺は屈曲している。このため、包装容器１の製造者は、第１接着板２６の主面を、左側板２４の右側の主面に容易に接着させることができる。
【００２９】
第１三角板２１の左辺部から、第２接着板２７が突出している。包装容器１では、第２接着板２７は、上下方向に沿って配置され、左側板２４の右側に位置する。第２接着板２７の左側の主面は、左側板２４の右側の主面と接着剤によって接着している。図７では、第２接着板２７の左側の主面が示されている。従って、左側板２４は第１三角板２１とは非連結である。
【００３０】
右側板２３の後辺部は、蓋体３が有する覆板３１の右辺部に連結している。前述したように、覆板３１の左辺部、上辺部及び下辺部それぞれには、左突出板３２、上突出板３３及び下突出板３４が連結している。図７に示すように、左突出板３２は台形状をなす。左突出板３２に関して、前辺は後辺と平行に配置され、前辺は後辺よりも短い。前辺は先端側の一辺に相当する。後辺は覆板３１側の一辺に相当する。
【００３１】
なお、第１接着板２６及び左突出板３２それぞれに関して、「平行」は実質的に実現されていれば、問題はない。従って、二辺がなす角度が設計上の誤差の範囲内に収まっている場合、二辺は平行である。
【００３２】
箱体２の右側板２３に関して、前辺は後辺よりも短い。右側板２３の前辺は左側板２４側の一辺である。右側板２３の後辺は開放面２５側の一辺である。箱体２の左側板２４に関して、前辺は後辺よりも短い。左側板２４の前辺は右側板２３側の一辺である。左側板２４の後辺は開放面２５側の一辺である。
【００３３】
図８を複数の包装容器１の重ね合わせの説明図である。図８に示すように、蓋体３が開放されている状態である複数の包装容器１を重ね合わせる。一方の包装容器１の箱体２内に、他方の包装容器１の箱体２を挿入することによって、複数の包装容器１が重ね合わされる。
【００３４】
前述したように、箱体２の右側板２３及び左側板２４それぞれについて、前辺は後辺よりも短い。このため、利用者は、複数の包装容器１を容易に重ね合わせることができる。
【００３５】
（実施の形態２）
実施の形態１における包装容器１において、蓋体３の開放及び閉鎖を更に容易に行うことできるように工夫してもよい。
以下では、実施の形態２について、実施の形態１と異なる点を説明する。後述する構成を除く他の構成については、実施の形態１と共通しているため、実施の形態１と共通する構成部には実施の形態１と同一の参照符号を付してその説明を省略する。
【００３６】
図９は実施の形態２における包装容器１の平面図である。図９には、蓋体３が開放されている包装容器１が示されている。図９に示すように、第１三角板２１の外面（上面）の中央部分に、内側（下側）に凹む複数の箱側エンボス２８が設けられている。図９の例では、複数の箱側エンボス２８が格子状に配置されている。図９では、図面の複雑化を防止するため、２つの箱側エンボス２８のみに符号を付している。
【００３７】
なお、複数の箱側エンボス２８の配置は、格子状の配置に限定されず、密集した配置であればよい。また、各箱側エンボス２８の外郭の形状は、円状に限定されず、例えば、四角形状であってもよい。更に、各箱側エンボス２８は、外側（上側）に突出していてもよい。
【００３８】
第２三角板２２の外面（下面）の中央部分にも複数の箱側エンボス２８が設けられている。第２三角板２２の外面に設けられている箱側エンボス２８は、内側（上側）に凹んでいるか、又は、外側（下側）に突出している。第２三角板２２に設けられる複数の箱側エンボス２８については、図示を省略している。
【００３９】
なお、第１三角板２１に設けられている箱側エンボス２８の数は、２以上に限定されず、１であってもよい。同様に、第２三角板２２に設けられている箱側エンボス２８の数は、２以上に限定されず、１であってもよい。
【００４０】
また、図９に示すように、蓋体３の上突出板３３の外面（上面）に、内側（下側）に凹む複数の蓋側エンボス３５が設けられている。複数の蓋側エンボス３５は格子状に配置されている。図９では、図面の複雑化を防ぐため、２つの蓋側エンボス３５に符号を付している。蓋体３が閉じられている場合、複数の蓋側エンボス３５は、上突出板３３の外面（上面）において、第１三角板２１の第１切欠き２１ａの部分に位置している。
【００４１】
なお、複数の蓋側エンボス３５の配置は、格子状の配置に限定されず、密集した配置であればよい。また、各蓋側エンボス３５の外郭の形状は、円状に限定されず、例えば、四角形状であってもよい。更に、各蓋側エンボス３５は、外側（上側）に突出していてもよい。
【００４２】
下突出板３４の外面（下面）にも複数の蓋側エンボス３５が設けられている。下突出板３４の外面（下面）に設けられている蓋側エンボス３５は、内側（上側）に凹んでいるか、又は、外側（下側）に突出している。下突出板３４に設けられる複数の蓋側エンボス３５については、図示を省略している。複数の蓋側エンボス３５は、下突出板３４の外面（下面）において、第２三角板２２の第２切欠き２２ａの部分に位置している。
【００４３】
なお、上突出板３３に設けられている蓋側エンボス３５の数は、２以上に限定されず、１であってもよい。同様に、下突出板３４に設けられている蓋側エンボス３５の数は、２以上に限定されず、１であってもよい。
【００４４】
包装容器１の利用者は、箱体２の第１三角板２１及び第２三角板２２それぞれに手の指を当て、箱体２をつかむ。手の指が、第１三角板２１及び第２三角板２２の箱側エンボス２８に当たっている場合、箱側エンボス２８は滑り止めとして機能する。このため、包装容器１の利用者は、蓋体３の開放及び閉鎖を、更に容易に行うことができる。
【００４５】
同様に、包装容器１の利用者は、蓋体３の上突出板３３及び下突出板３４それぞれに手を当て、蓋体３をつかむ。手の指が、上突出板３３及び下突出板３４の蓋側エンボス３５に当たっている場合、蓋側エンボス３５は滑り止めとして機能する。このため、包装容器１の利用者は、蓋体３の開放及び閉鎖を、更に容易に行うことができる。
【００４６】
実施の形態２における包装容器１は、実施の形態１における包装容器１が奏する効果を同様に奏する。
【００４７】
なお、実施の形態１，２において、箱体２の右側板２３において、前辺の長さは後辺の長さ以上であってもよい。同様に、箱体２の左側板２４において、前辺の長さは後辺の長さ以上であってもよい。
【００４８】
また、箱体２の第１接着板２６及び第２接着板２７それぞれは突出していれば、問題はない。このため、第１接着板２６及び第２接着板２７それぞれの形状は、台形状に限定されない。同様に、蓋体３の左突出板３２、上突出板３３及び下突出板３４それぞれは突出していれば、問題はない。このため、左突出板３２、上突出板３３及び下突出板３４それぞれの形状は台形状に限定されない。
【００４９】
更に、左側板２４の第１切り込み２４ａの形状は、左突出板３２を挿入することができれば、問題はない。このため、第１切り込み２４ａの両側は屈曲していなくてもよい。第１切り込み２４ａの形状は直線状であってもよい。
【００５０】
今回開示した実施の形態１，２は、全ての点で例示であって、制限的なものではないと考えられるべきである。実施の形態１，２において記載されている技術的特徴は互いに組み合わせることができる。本考案の範囲は、実用新案登録請求の範囲内での全ての変更及び実用新案登録請求の範囲と均等の範囲が含まれることが意図される。
【符号の説明】
【００５１】
１  包装容器
２  箱体
３  蓋体
２１  第１三角板
２１ａ  第１切欠き
２２  第２三角板
２２ａ  第２切欠き
２３  右側板
２４  左側板
２４ａ  第１切り込み
２４ｂ  第２切り込み
２５  開放面
２６  第１接着板
２７  第２接着板
２８  箱側エンボス
３１  覆板
３２  左突出板
３３  上突出板
３４  下突出板
３５  蓋側エンボス
【図１】
0003233104.tif 000003
【図２】
0003233104.tif 000004
【図３】
0003233104.tif 000005
【図４】
0003233104.tif 000006
【図５】
0003233104.tif 000007
【図６】
0003233104.tif 000008
【図７】
0003233104.tif 000009
【図８】
0003233104.tif 000010
【図９】
0003233104.tif 000011